(57)【要約】【目的】    簡単に水筒を同時に携行することができ、かつ構成も簡単で、フォークや箸等の小物を収納することができるようにする。【構成】  容器本体１１０とこの容器本体１１０を閉塞する容器蓋体１２０とを有する容器１００と、液体を収容可能な水筒２００とを備えており、前記水筒２００は、容器蓋体１２０の上面に形成された凹部１２２に嵌まり込むようになっている。前記凹部１２２には、さらに凹設された小物用凹部１２３が形成されており、凹部１２２に水筒２００を嵌め込むと、前記小物用凹部１２３は水筒２００によって覆われるようになっている。さらに、前記水筒２００は、動物の形、花や植物の形、乗り物の形、物語やアニメーション等のキャラクターの形等の具象物の形状に形成されている。【選択図】      図１
2006204775.tif 000002
【特許請求の範囲】
【請求項１】
容器本体とこの容器本体を閉塞する容器蓋体とを有する容器と、液体を収容可能な水筒とを具備しており、前記水筒は、容器蓋体の上面に形成された凹部に嵌まり込むことを特徴とする弁当箱。
【請求項２】
前記凹部には、さらに凹設された小物用凹部が形成されており、凹部に水筒を嵌め込むと、前記小物用凹部は水筒によって覆われることを特徴とする請求項１記載の弁当箱。
【請求項３】
前記水筒は、具象物の形状に形成されていることを特徴とする請求項１又は２記載の弁当箱。
【請求項４】
前記容器本体には仕切壁が固定的に設けられており、この仕切壁は容器本体の上縁部より低く設定されていることを特徴とする請求項１、２又は３記載の弁当箱。
【発明の詳細な説明】
【技術分野】
【０００１】
本発明は、水筒を同時に携行できる弁当箱に関する。
【背景技術】
【０００２】
ピクニック等に用いられる弁当箱には、水筒がつきものである。このため、水筒を同時に携行できる弁当箱として、特開２００３−６１７３０号公報、特開２０００−１１６４２５号公報、実用新案登録第３０８４９４５号公報等に記載されたものが創案されている。
【０００３】
特開２００３−６１７３０号公報（特許文献１）に記載されたものは、『食品収納容器を収納しうる保温容器の側部に、水筒を支承し得る水筒支承部を設けた』ランチジャーである。
また、特開２０００−１１６４２５号公報（特許文献２）に記載されたものは、『２つの食品容器本体と水筒が重ねて取り外し自在に組み合わされ、下部食品容器本体の両側部に第一の係止体を設けると共に、その上に位置される水筒の両側部に第二の係止体を設け、更に上部食品容器本体には蓋を載置し、前記蓋の両側部にヒンジを介して固定板を設け、前記固定板に前記第一の係止体及び第二係止体にそれぞれ係止する係止部を設けた食品組立体』からなる携帯食品容器である。
さらに、実用新案登録第３０８４９４５号公報（特許文献３）に記載されたものは、『注出口を上部に有し、下部には外周に複数の係止部を有する蓋部を一体に設けた水筒体と、前記蓋部に内嵌する開口部を上部に有し、外周に前記係止部に係脱する留め具を取り付けた収納ケースとを』備えている収納ケース付き水筒である。
【０００４】
【特許文献１】特開２００３−６１７３０号公報
【特許文献２】特開２０００−１１６４２５号公報
【特許文献３】実用新案登録第３０８４９４５号公報
【発明の開示】
【発明が解決しようとする課題】
【０００５】
しかしながら、上述した弁当箱には以下のような問題点がある。
すなわち、特許文献１に記載されたものは、保温容器の側部に水筒が位置するので、水筒を支承した場合に、保温容器と水筒とが一体化せず、持ち運びにくいものとなる。
また、特許文献２に記載されたものは、本体と蓋体とからなる２つの食品容器本体と、水筒とを有しているため、部品点数が全部で５つとなる。
さらに、特許文献３に記載されたものは、水筒を同時に携行することは可能であるが、その他の必需品小物、例えば、フォークや箸等を収納することができない。
【０００６】
本発明は、上記事情に鑑みて創案されたもので、簡単に水筒を同時に携行することができ、かつ構成も簡単で、またフォークや箸等の小物を収納することができる弁当箱を提供することを目的としている。
【課題を解決するための手段】
【０００７】
本発明に係る弁当箱は、容器本体とこの容器本体を閉塞する容器蓋体とを有する容器と、液体を収容可能な水筒とを備えており、前記水筒は、容器蓋体の上面に形成された凹部に嵌まり込むようになっている。
【０００８】
また、前記凹部には、さらに凹設された小物用凹部が形成されており、凹部に水筒を嵌め込むと、前記小物用凹部は水筒によって覆われるようになっている。
【０００９】
さらに、前記水筒は、具象物の形状に形成されている。
【００１０】
前記容器本体には仕切壁が固定的に設けられており、この仕切壁は容器本体の上縁部より低く設定されている。
【発明の効果】
【００１１】
本発明に係る弁当箱は、容器本体とこの容器本体を閉塞する容器蓋体とを有する容器と、液体を収容可能な水筒とを備えており、前記水筒は、容器蓋体の上面に形成された凹部に嵌まり込むようになっているので、水筒と容器とを一体化した状態で携行することができる。
【００１２】
また、前記凹部には、さらに凹設された小物用凹部が形成されており、凹部に水筒を嵌め込むと、前記小物用凹部は水筒によって覆われるようになっていると、小物用凹部にフォーク等の小物を確実に収納することができるので、大変便利である。
【００１３】
さらに、前記水筒が、具象物の形状に形成されていると、子どもにとって興味深いものとすることができる。
【００１４】
また、  前記容器本体には仕切壁が固定的に設けられており、この仕切壁は容器本体の上縁部より低く設定されていると、副菜を美しく盛りつけることができる。
【発明を実施するための最良の形態】
【００１５】
図１は本発明の実施の形態に係る弁当箱の概略的分解斜視図、図２は本発明の実施の形態に係る弁当箱の図面であって、同図（Ａ）は概略的平面図、同図（Ｂ）は概略的正面図、同図（Ｃ）は概略的右側面図、図３は本発明の実施の形態に係る弁当箱を構成する容器の容器本体の図面であって、同図（Ａ）は概略的平面図、同図（Ｂ）は概略的正面図、同図（Ｃ）は概略的右側面図、同図（Ｄ）は概略的Ａ−Ａ線断面図、同図（Ｅ）は概略的Ｂ−Ｂ線断面図、図４は本発明の実施の形態に係る弁当箱を構成する容器の容器蓋体の図面であって、同図（Ａ）は概略的平面図、同図（Ｂ）は概略的正面図、同図（Ｃ）は概略的右側面図、同図（Ｄ）は概略的Ｃ−Ｃ線断面図、同図（Ｅ）は概略的Ｄ−Ｄ線断面図、図５は本発明の実施の形態に係る弁当箱を構成する水筒の容器本体の図面であって、同図（Ａ）は概略的平面図、同図（Ｂ）は概略的正面図、同図（Ｃ）は概略的左側面図、同図（Ｄ）は概略的右側面図、図６は本発明の実施の形態に係る弁当箱における仕切壁の作用を示す概略的説明図である。
【００１６】
本発明の実施の形態に係る弁当箱は、容器本体１１０とこの容器本体１１０を閉塞する容器蓋体１２０とを有する容器１００と、液体を収容可能な水筒２００とを備えており、前記水筒２００は、容器蓋体１２０の上面１２１に形成された凹部１２２に嵌まり込むようになっている。
【００１７】
この弁当箱を構成する容器１００及び水筒２００は、例えばポリプロピレン等の合成樹脂から成形されている。
【００１８】
まず、前記水筒２００は、図１、図５に示すように、液体を収容する水筒本体２１０と、この水筒本体２１０に設けられた注ぎ口２１１を閉塞するキャップ２２０とから構成される。水筒本体２１０は、図１、図５等に示すように、人形等の具象物の形状に形成されている。この水筒本体２１０の表面部２１２は、人形の目鼻等に応じた凹凸２１３が形成されている。また、この水筒本体２１０の底面部２１４、すなわち人形の背中部分に相当する部分は、表面部２１２とは違って平坦に形成されている。さらに、この水筒本体２１０の側面部２１５、すなわち人形の脇部に相当する部分は、前記底面部２１４から略直交した方向に真っ直ぐ立ち上げられている。
【００１９】
一方、人形の頭頂部に相当する部分には、円筒形状の注ぎ口２１１が連設されている。この注ぎ口２１１の外周面にはキャップ２２０を螺合するためのらせん状の凸脈２１６が形成されている。
【００２０】
前記キャップ２２０は、有底円筒状に形成されており、側面の内側面には、前記凸脈２１６に対応したらせん溝（図示省略）が形成されている。このらせん溝と前記凸脈２１６とによってキャップ２２０が注ぎ口２１１に取り付けられるのである。なお、このキャップ２２０は、水筒本体２１０を形作る人形の帽子としての形状に形成することも可能である。
【００２１】
一方、前記容器１００を構成する容器本体１１０は、図３に示すように、平面視略小判状の上面が開放された深皿状に形成されている。かかる容器本体１１０の側面１１１には、上縁部に沿ってフランジ部１１２が突出形成されている。このフランジ部１１２は、後述する容器蓋体１２０を容器本体１１０に被せた場合に、容器蓋体１２０の下縁部１２４（図４参照）に接触する部分である。
【００２２】
さらに、この容器本体１００の内側には、仕切壁１１３が固定的に形成されている。この仕切壁１１３は、弁当箱内部において、米飯と副菜とを仕切る壁として利用される。また、この仕切壁１１３の高さは、容器本体１１０の上縁部より低く、例えば、容器本体１１０の深さの半分程度に設定されている。なお、仕切壁１１３の高さは、各種の副菜を考慮すると、容器本体１１０の深さの４０％〜８０％の範囲が望ましい。
【００２３】
ここで、仕切壁１１３の高さを容器本体１１０の上縁部より低く設定したのは、副菜の盛りつけを美しく見せることができるためである。例えば、図６に示すように、副菜としてのエビフライ５００（図６（Ａ）参照）やサクランボ５５０（図６（Ｂ）参照）等を盛りつける際に、エビフライ５００の尻尾５１０側やサクランボ５５０の茎５６０側を仕切壁１１３の上に載置するようにすれば、立体的な盛りつけとなるので美しく見せることができるのである。しかも、容器蓋体１２０で容器本体１１０を閉じても容器蓋体１２０の裏面がエビフライ５００やサクランボ５５０を押さえつけることがないので、盛りつけの美しさを保持することができるのである。
【００２４】
一方、容器蓋体１２０は、平面視略小判状の下面が開放された逆向き深皿状に形成されている。かかる容器蓋体１２０の上面１２１には、前記水筒２００に対応した凹部１２２が形成されている。すなわち、この容器本体１１０の上面１２１は、水筒２００の外形に対応した形状に凹んでいるのである。従って、この凹部１２２に水筒２００をぴったりと嵌め込むことができ、水筒２００が少なくとも横方向にはずれないようになっている。
【００２５】
さらに、前記凹部１２２には、一段と凹設、すなわち一段と下がった小物用凹部１２３が形成されている。この小物用凹部１２３は、フォーク、スプーン、ナイフあるいは箸等の食事に必要な小物を収納する部分である。かかる小物用凹部１２３は、収納すべき小物の形状やサイズに合わせて形作られており、フォーク３００（図４（Ａ）に二点鎖線で示す）を収納する本実施の形態の場合には細長く形成されている。
【００２６】
米飯や副菜等を収納した容器本体１１０を容器蓋体１２０で閉塞する。そして、小物用凹部１２３にフォーク３００を収納し、さらに凹部１２２に飲料を詰めた水筒２００を嵌め込む。この状態であると、小物用凹部１２３は水筒２００によって覆われているので、小物用凹部１２３に収納したフォーク３００が失われることはなく、また衛生的でもある。
【００２７】
また、この状態では、容器蓋体１２０は飲料か詰められた水筒２００の重さによっても押さえ付けられているため、不用意には外れないようになっている。また、水筒２００もぴったりと凹部１２２に嵌まり込んでいるため、不用意には外れないようになっている。より完全にしようとすれば、図示しないゴム等の伸縮性のある輪状のバンド等の適宜な固定手段を用いればよい。
【００２８】
上述した実施の形態に係る弁当箱では、水筒２００は人形の形に形作られているとしたが、他の具象物、例えば、動物の形、花や植物の形、乗り物の形、物語やアニメーション等のキャラクターの形等のように子どもの興味を引く形に形作ることができる。
【００２９】
また、弁当箱自体の形状も略小判状だけでなく、他の形状や具象物の形状とすることも可能である。この場合、弁当箱自体を具象物の形とするならば、水筒２００は関連したものの形状とすることが望ましい。例えば、弁当箱自体を花の形とするならば、水筒は花に引き寄せられる蜜蜂の形とするごときである。
【００３０】
さらに、前記小物用凹部１２３では、フォーク、スプーン、ナイフあるいは箸等の食事に必要な小物のみならず、醤油やソース等の調味料を入れる調味料入れを収納するようにすることも可能である。その場合には、フォーク等を収納する部分に続いてより深くなった調味料入れ用凹部を形成しててもよい。
【図面の簡単な説明】
【００３１】
【図１】本発明の実施の形態に係る弁当箱の概略的分解斜視図である。
【図２】本発明の実施の形態に係る弁当箱の図面であって、同図（Ａ）は概略的平面図、同図（Ｂ）は概略的正面図、同図（Ｃ）は概略的右側面図である。
【図３】本発明の実施の形態に係る弁当箱を構成する容器の容器本体の図面であって、同図（Ａ）は概略的平面図、同図（Ｂ）は概略的正面図、同図（Ｃ）は概略的右側面図、同図（Ｄ）は概略的Ａ−Ａ線断面図、同図（Ｅ）は概略的Ｂ−Ｂ線断面図である。
【図４】本発明の実施の形態に係る弁当箱を構成する容器の容器蓋体の図面であって、同図（Ａ）は概略的平面図、同図（Ｂ）は概略的正面図、同図（Ｃ）は概略的右側面図、同図（Ｄ）は概略的Ｃ−Ｃ線断面図、同図（Ｅ）は概略的Ｄ−Ｄ線断面図である。
【図５】本発明の実施の形態に係る弁当箱を構成する水筒の容器本体の図面であって、同図（Ａ）は概略的平面図、同図（Ｂ）は概略的正面図、同図（Ｃ）は概略的左側面図、同図（Ｄ）は概略的右側面図である。
【図６】本発明の実施の形態に係る弁当箱における仕切壁の作用を示す概略的説明図である。
【符号の説明】
【００３２】
１００    容器
１１０    容器本体
１２０    容器蓋体
１２２    凹部
２００    水筒
【図１】
2006204775.tif 000003
【図２】
2006204775.tif 000004
【図３】
2006204775.tif 000005
【図４】
2006204775.tif 000006
【図５】
2006204775.tif 000007
【図６】
2006204775.tif 000008